(57)【要約】【課題】着信メロディーデータを容易にデータベースコンピュータからダウンロードできる情報端末への着信メロディーデータ取り込み方法を提供する。【解決手段】携帯電話機に通信ネットワークを介してデータベースコンピュータから所定の周期で自動的に複数のプロモーション用着信メロディーデータをダウンロードして記憶するステップ１−２と、携帯電話機が他の電話機からの呼出信号を着信する毎に所定の順番で前記記憶した複数のプロモーション用着信メロディーデータの内の何れかを呼出音声として出力するステップ１−４と、出力したプロモーション用着信メロディーデータの内で使用したい着信メロディーデータがある場合にこの着信メロディーデータの使用要求信号をデータベースコンピュータに送信するステップ１−６と、使用要求信号を送信した着信メロディーデータをデータベースコンピュータから受信して記憶するステップ１−７とを具備する。【選択図】      図２
2004219556.tif 000002
【特許請求の範囲】
【請求項１】
情報端末に通信ネットワークを介して着信メロディーデータベースコンピュータから所定の周期で自動的に複数のプロモーション用着信メロディーデータをダウンロードして記憶しておくステップと、
前記情報端末が他の情報端末からの呼出信号を着信する毎に所定の順番で前記記憶した複数のプロモーション用着信メロディーデータの内の何れかを呼出音声として出力するステップと、
前記呼出音声として出力したプロモーション用着信メロディーデータの内で使用しようとする着信メロディーデータがある場合にこの着信メロディーデータの使用要求信号を前記着信メロディーデータベースコンピュータに送信するステップと、
前記使用要求信号を送信した着信メロディーデータを着信メロディーデータベースコンピュータから受信して記憶するステップとを具備することを特徴とする情報端末への着信メロディーデータ取り込み方法。
【請求項２】
表示画面を有する情報端末に通信ネットワークを介して待ち受け画像データベースから所定の周期で自動的に複数のプロモーション用待ち受け画像データをダウンロードして記憶しておくステップと、
前記情報端末が他の情報端末からの呼出信号を着信する毎に、又は折畳式の情報端末においては情報端末を開く毎に、所定の順番で前記記憶した複数のプロモーション用待ち受け画像データの内の何れかを表示画面に表示するステップと、
前記表示画面に表示したプロモーション用待ち受け画像データの内で使用しようとする待ち受け画像データがある場合にこの待ち受け画像データの使用要求信号を前記待ち受け画像データベースコンピュータに送信するステップと、
前記使用要求信号を送信した待ち受け画像データを待ち受け画像データベースコンピュータから受信して記憶するステップとを具備することを特徴とする情報端末への待ち受け画像データ取り込み方法。
【発明の詳細な説明】
【０００１】
【発明の属する技術分野】
本発明は、携帯電話機等の情報端末に着信メロディーデータや待ち受け画像データをデータベースコンピュータから受け取るのに好適な情報端末へのデータ取り込み方法に関するものである。
【０００２】
【従来の技術】
従来、携帯電話機においては、他の電話機から呼出信号を着信した際にこれを知らせる呼出音としてメロディー（着信メロディー）を用いることが多い。この着信メロディーは、予め多数のメロディーを携帯電話機の記憶手段に記憶しておき、携帯電話機の使用者が呼出音として使用したいメロディーを指定することで着信メロディーとして利用できる。
【０００３】
一方従来、着信メロディーはインターネット等のネットワーク上にある着信メロディー配給業者の着信メロディーデータベースコンピュータから前記ネットワークを通じて取り込むことが行なわれている。取り込む方法は携帯電話機の使用者が、この携帯電話機を用いて前記着信メロディーデータベースコンピュータにアクセスし、所望の着信メロディーデータを選択して自己の携帯電話機にダウンロードする方法である。
【０００４】
しかしながら上記方法によって着信メロディーデータベースコンピュータから着信メロディーデータをダウンロードする場合、予め曲名を知っておかなければならず、例え曲を知っていても曲名が分からない場合は、それを調べる等しなければならず煩雑であり、このため着信メロディーにしたい曲を着信メロディーデータベースコンピュータからダウンロードできなかったり、ダウンロードするまでに時間がかかったりしていた。また着信メロディーデータベースコンピュータから着信メロディーデータをダウンロードする場合、携帯電話機の使用者が着信メロディーデータベースコンピュータにアクセスしなければならないので、その操作も面倒であった。特に携帯電話機の各種機能を使い慣れない人には煩雑であった。
【０００５】
上記問題は、携帯電話機の表示画面に、待ち受け画像（いわゆる壁紙）を待ち受け画像配給業者の待ち受け画像データベースからダウンロードする場合も同様に生じる。
【０００６】
【発明が解決しようとする課題】
本発明は上述の点に鑑みてなされたものでありその目的は、曲名を知らなくても着信メロディーデータを容易に着信メロディーデータベースコンピュータからダウンロードでき、その操作も簡単に行なえる情報端末への着信メロディーデータ取り込み方法を提供することにある。
【０００７】
また本発明の目的は、所望の待ち受け画像データを容易に待ち受け画像データベースコンピュータからダウンロードできる情報端末への待ち受け画像データ取り込み方法を提供することにある。
【０００８】
【課題を解決するための手段】
上記問題点を解決するため本願の請求項１にかかる発明は、情報端末に通信ネットワークを介して着信メロディーデータベースコンピュータから所定の周期で自動的に複数のプロモーション用着信メロディーデータをダウンロードして記憶しておくステップと、前記情報端末が他の情報端末からの呼出信号を着信する毎に所定の順番で前記記憶した複数のプロモーション用着信メロディーデータの内の何れかを呼出音声として出力するステップと、前記呼出音声として出力したプロモーション用着信メロディーデータの内で使用しようとする着信メロディーデータがある場合にこの着信メロディーデータの使用要求信号を前記着信メロディーデータベースコンピュータに送信するステップと、前記使用要求信号を送信した着信メロディーデータを着信メロディーデータベースコンピュータから受信して記憶するステップとを具備することを特徴とする情報端末への着信メロディーデータ取り込み方法にある。
【０００９】
また本願の請求項２にかかる発明は、表示画面を有する情報端末に通信ネットワークを介して待ち受け画像データベースから所定の周期で自動的に複数のプロモーション用待ち受け画像データをダウンロードして記憶しておくステップと、前記情報端末が他の情報端末からの呼出信号を着信する毎に、又は折畳式の情報端末においては情報端末を開く毎に、所定の順番で前記記憶した複数のプロモーション用待ち受け画像データの内の何れかを表示画面に表示するステップと、前記表示画面に表示したプロモーション用待ち受け画像データの内で使用しようとする待ち受け画像データがある場合にこの待ち受け画像データの使用要求信号を前記待ち受け画像データベースコンピュータに送信するステップと、前記使用要求信号を送信した待ち受け画像データを待ち受け画像データベースコンピュータから受信して記憶するステップとを具備することを特徴とする情報端末への待ち受け画像データ取り込み方法にある。
【００１０】
【発明の実施の形態】
以下、本発明の実施の形態を図面を参照して詳細に説明する。
図１は着信メロディーデータベースコンピュータ１０−１から携帯電話機３０にネットワークＮを通じて着信メロディーデータを取り込む着信メロディーデータ取り込みシステムの全体概略構成図である。同図に示すようにインターネット等の通信ネットワークＮには、電話回線を介して着信メロディーデータベースコンピュータ１０−１が接続され、また電話回線を介して携帯電話機３０の基地局２０が接続されている。携帯電話機３０は近くにある基地局２０との間で無線交信することで通信ネットワークＮに接続される。
【００１１】
ここで着信メロディーデータベースコンピュータ１０−１は、着信メロディーとなる大量の着信メロディーデータを記憶している。そして新しい着信メロディー（そのプロモーション用着信メロディーも含む）のデータが、継続的に追加・更新されるように構成されている。
【００１２】
通信ネットワークＮは、ＩＳＤＮやＬＡＮ等の高速通信ネットワークで構成されており、具体的にはインターネットに代表されるオープンな通信ネットワークや、パソコン通信等の専用回線による通信ネットワークなどで構成される。
【００１３】
携帯電話機３０は、無線機能を有する電話機であり、内部に少なくとも制御部と記憶部と入出力部とを有する。
【００１４】
図２は本発明を用いて前記携帯電話機３０に着信メロディーデータを取り込む方法の携帯電話機３０における概略処理フロー図である。同図に示すようにまず携帯電話機３０の制御部は、着信メロディーデータベースコンピュータ１０−１から複数のプロモーション用着信メロディーデータが送られてきたか否かを判断する（ステップ１−１）。ここでプロモーション用着信メロディーとは、着信メロディーを紹介するために着信メロディーの中から取り出した着信メロディー中の短いメロディー部分（数小節程度）をいう。
【００１５】
そしてプロモーション用着信メロディーデータが送られてきた場合は、これら複数のプロモーション用着信メロディーデータを携帯電話機３０にダウンロードし、その記憶部に記憶してステップ１−３に移行し（ステップ１−２）、一方プロモーション用着信メロディーデータが送られてきていない場合は、ステップ１−１から直接ステップ１−３に移行する。
【００１６】
次にこの携帯電話機３０が他の携帯電話機や固定電話機等からの呼出信号を着信したか否かを判断し（ステップ１−３）、呼出信号を着信した場合は、着信毎に所定の順番で前記ステップ１−２で記憶した複数のプロモーション用着信メロディーデータ（又はステップ１−１で新着のプロモーション用着信メロディーデータが送られていない場合は、最も最近送られてきて記憶しておいたプロモーション用着信メロディーデータ）の内の何れかのプロモーション用着信メロディーデータを呼出音声として出力してからステップ１−５に移行し（ステップ１−４）、着信していない場合はステップ１−３から直接ステップ１−５に移行する。具体的に言えば、例えばダウンロードしたプロモーション用着信メロディーデータがＡ曲データ，Ｂ曲データ，Ｃ曲データである場合、他人の電話機からの電話の呼び出し音声として、一回目はＡ曲を流し、二回目はＢ曲を流し、三回目はＣ曲を流す。ここで各曲Ａ，Ｂ，Ｃはプロモーション用であって何れも短い数小節程度のものなので、呼出音声の時間が長くなるとこの短い数小節を繰り返すこととなる。
【００１７】
次に前記ステップ１−４で呼出音声として出力したプロモーション用着信メロディー（又はステップ１−３で呼出信号を着信していない場合は、最も最近呼出音声として出力したプロモーション用着信メロディー）を、この携帯電話機３０の使用者が着信メロディーとして使用したいと考えた場合（ステップ１−５）は、使用者が携帯電話機３０を操作すること（例えば表示画面３１上に表示した「購入」の表示を選択・決定するだけ）で、このプロモーション用着信メロディーデータの使用要求信号を前記通信ネットワークＮを介して着信メロディーデータベースコンピュータ１０−１に送信し（ステップ１−６）、次にこの使用要求信号を受けた着信メロディーデータベースコンピュータ１０−１からこの携帯電話機３０に対してネットワークＮを介して送信されてくる着信メロディーデータを受信してその記憶部に記憶する（ステップ１−７）。これによって以後完全な形の着信メロディーとして利用できるようになる。
【００１８】
なお携帯電話機３０には、着信メロディーデータベースコンピュータ１０−１から随時プロモーション用着信メロディーデータを受信してこれを呼出音声とするモード（本発明のモード）と、すでに記憶部に記憶している着信メロディーの内の所望の着信メロディーを呼出音声とするモード（通常のモード）とを切り替える切り替え手段を設けておくことが好ましい。
【００１９】
なお上記実施形態ではステップ１−４において、呼出信号を着信した場合に、着信毎に所定の順番で複数のプロモーション用着信メロディーデータの内の何れか一つのプロモーション用着信メロディーデータを呼出音声として出力するとしたが、一つの呼出信号に対して前記複数（全部の曲又はその中のいくつかの曲でも良い）のプロモーション用着信メロディーデータを順番に流しても良い。即ち例えばダウンロードしたプロモーション用着信メロディーデータがＡ曲データ，Ｂ曲データ，Ｃ曲データ，Ｄ曲データであった場合、他人の電話機からの電話の一回の呼び出し音声として、Ａ曲→Ｂ曲→Ｃ曲→Ａ曲→…と複数曲の短い数小節を順番に繰り返すように出力してもよい。この場合は、ステップ１−５において、その中のどの曲データを着信メロディーデータとして使用するかを使用者が携帯電話機３０を操作することで特定して使用要求信号を送信すれば良い。
【００２０】
以上のように構成することによって、例え携帯電話機３０の使用者が、使用したい着信メロディーの曲名等を知らなくても、他の電話機からの呼出音声を聞くだけで容易にその曲を自己の携帯電話機３０の着信メロディーデータに加えることができる。
【００２１】
図３は着信メロディーデータベースコンピュータ１０−１における概略処理フロー図である。同図に示すようにまず着信メロディーデータベースコンピュータ１０−１は、外部から随時入力・更新される新着着信メロディーデータ（そのプロモーション用着信メロディーデータを含む）を各携帯電話機３０に送信する時期になったか否かを判断する（ステップ２−１）。送信時期は、例えば所定の期間毎（例えば一日毎、一週間毎）としたり、新着着信メロディーデータが所定の数に達したとき等、各種タイミングが考えられる。
【００２２】
次に前記送信時期に達した場合は、複数の新着プロモーション用着信メロディーデータを、新着プロモーション用着信メロディーデータを受け取るモードに設定されている各携帯電話機３０に送信する（ステップ２−２）。
【００２３】
次に着信メロディーデータベースコンピュータ１０−１は、携帯電話機３０から着信メロディーデータ使用要求信号を受信したら（ステップ２−３）、要求のあった携帯電話機３０にその着信メロディーデータを送信する（ステップ２−４）。
【００２４】
図４は待ち受け画像データベースコンピュータ１０−２から携帯電話機３０にネットワークＮを通じて待ち受け画像データを取り込む待ち受け画像データ取り込みシステムの全体概略構成図である。同図において前記図１と同一又は相当部分には同一符号を付してその詳細な説明は省略する。同図において前記図１と相違する点は、着信メロディーデータベースコンピュータ１０−１の代わりに待ち受け画像データベースコンピュータ１０−２を通信ネットワークＮに接続した点である。
【００２５】
待ち受け画像とは、携帯電話３０の表示画面３１に表示される画像（いわゆる壁紙等）であり、待ち受け画像データベースコンピュータ１０−２にはこの待ち受け画像データが大量に記憶されている。そして新規な待ち受け画像データが、継続的に追加・更新されるように構成されている。
【００２６】
またこの発明に用いる携帯電話機３０は、表示画面３１を有し、且つその略中央部分で折り畳むことができる構造の携帯電話機であるとする。
【００２７】
図５は本発明を用いて前記携帯電話機３０に待ち受け画像データを取り込む方法の携帯電話機３０における概略処理フロー図である。同図に示すようにまず携帯電話機３０の制御部は、待ち受け画像データベースコンピュータ１０−２から複数のプロモーション用待ち受け画像データが送られてきたか否かを判断する（ステップ３−１）。ここでプロモーション用待ち受け画像データとは、待ち受け画像データを紹介するために待ち受け画像データの中から取り出した一部の待ち受け画像データであり、例えば複数枚ある待ち受け画像データの内の１枚のみの待ち受け画像データであったり、画質のあまり良くない待ち受け画像データであったりする。
【００２８】
そしてプロモーション用待ち受け画像データが送られてきた場合は、前記複数のプロモーション用待ち受け画像データを携帯電話機３０にダウンロードし、その記憶部に記憶してステップ３−３に移行し（ステップ３−２）、一方プロモーション用待ち受け画像データが送られてきていない場合は、ステップ３−１から直接ステップ３−３に移行する。
【００２９】
次にこの携帯電話機３０が折り畳まれた状態から開かれたか否かを判断し（ステップ３−３）、携帯電話機３０が開かれた場合は、開かれる毎に所定の順番で前記ステップ３−２で記憶した複数のプロモーション用待ち受け画像データ（又はステップ３−１で新着のプロモーション用待ち受け画像データが送られてきていない場合は、最も最近送られてきて記憶しておいた複数のプロモーション用待ち受け画像データ）の内の何れかのプロモーション用待ち受け画像データを表示画面３１に表示してからステップ３−５に移行し（ステップ３−４）、開いていない場合はステップ３−３から直接ステップ３−５に移行する。具体的に言えば、例えばダウンロードしたプロモーション用待ち受け画像データがアイドル歌手Ａ，Ｂ，Ｃのプロモーション用待ち受け画像データである場合、一回目に携帯電話機３０を開いた場合は表示画面３１にアイドル歌手Ａを表示し、二回目に携帯電話機３０を開いた場合は表示画面３１にアイドル歌手Ｂを表示し、三回目に携帯電話機３０を開いた場合は表示画面３１にアイドル歌手Ｃを表示する。
【００３０】
次に前記ステップ３−４で表示したプロモーション用待ち受け画像を、この携帯電話機３０の使用者が待ち受け画像として使用したいと考えた場合（ステップ３−５）は、使用者が携帯電話機３０を操作すること（例えば表示画面３１上に表示した「購入」の表示を選択・決定するだけ）で、このプロモーション用待ち受け画像データの使用要求信号を通信ネットワークＮを介して待ち受け画像データベースコンピュータ１０−２に送信し（ステップ３−６）、次にこの使用要求信号を受信した待ち受け画像データベースコンピュータ１０−２からこの携帯電話機３０に対してネットワークＮを介して送信されてくる待ち受け画像データを受信してその記憶部に記憶する（ステップ３−７）。これによって以後完全な形の待ち受け画像データとして利用できるようになる。
【００３１】
なお携帯電話機３０には、待ち受け画像データベースコンピュータ１０−２から随時プロモーション用待ち受け画像データを受信してこれを表示画面３１に表示するモード（本発明のモード）と、すでに記憶部に記憶している待ち受け画像データの内の所望の待ち受け画像データを表示画面３１に表示するモード（通常のモード）とを切り替える切り替え手段を設けておくことが好ましい。
【００３２】
図６は待ち受け画像データベースコンピュータ１０−２における概略処理フロー図である。同図に示すようにまず待ち受け画像データベースコンピュータ１０−２は、外部から随時入力・更新される新着待ち受け画像データ（そのプロモーション用待ち受け画像データを含む）を各携帯電話機３０に送信する時期になったか否かを判断する（ステップ４−１）。送信時期は、例えば所定の期間毎（例えば一日毎、一週間毎）としたり、新着待ち受け画像データが所定の数に達したとき等、各種タイミングが考えられる。
【００３３】
次に前記送信時期に達した場合は、複数の新着プロモーション用待ち受け画像データを、新着プロモーション用待ち受け画像データを受け取るモードに設定されている各携帯電話機３０に送信する（ステップ４−２）。
【００３４】
次に待ち受け画像データベースコンピュータ１０−２は、携帯電話機３０から待ち受け画像データ使用要求信号を受信したら（ステップ４−３）、要求のあった携帯電話機３０にその待ち受け画像データを送信する（ステップ４−４）。
【００３５】
以上のように構成することによって携帯電話機３０の使用者は、従来のように別途こちらから待ち受け画像配給業者のデータベースコンピュータにアクセスして使用したい待ち受け画像を探してダウンロードするような煩雑な操作が不要で、携帯電話機３０を開くだけで、新しいプロモーション用待ち受け画像を次々と見ることができ、容易にその待ち受け画像データをダウンロードできる。
【００３６】
なお図５に示す実施形態においては、携帯電話機３０を開くたびに表示画面３１に表示するプロモーション用待ち受け画像を変更したが、所定回数開くたびに（例えば５回開く毎に）表示画面３１に表示するプロモーション用待ち受け画像を変更するように構成しても良い。また表示画面３１に複数のプロモーション用待ち受け画像を同時に表示しても良い。また図５に示す実施形態においては携帯電話機３０を開くことで表示画面３１に表示するプロモーション用待ち受け画像を変更したが、図２に示す実施形態のように、携帯電話機３０が他の電話機からの呼出信号を着信する毎に（又は複数回の呼出信号を着信する毎に）、表示画面３１に表示するプロモーション用待ち受け画像を変更するように構成しても良い。このように構成すれば、折り畳み式の携帯電話機３０以外の携帯電話機３０にも利用できる。
【００３７】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば上記実施形態では電話機として携帯電話機３０を使用しているが、これに代えてＰＨＳ電話機や固定電話機を使用しても良い。また本発明は電話機に限定されず、例えばパソコン等の他の各種情報端末を使用してもよい。
【００３８】
【発明の効果】
以上詳細に説明したように本発明によれば以下のような優れた効果を有する。
▲１▼本願請求項１に記載の発明によれば、曲名を知らなくても着信メロディーデータを容易に着信メロディーデータベースコンピュータからダウンロードでき、その操作も簡単に行なえる。
【００３９】
▲２▼本願請求項２に記載の発明によれば、新しい待ち受け画像データを待ち受け画像データベースから簡単な操作でダウンロードできる。
【図面の簡単な説明】
【図１】着信メロディーデータベースコンピュータ１０−１から携帯電話機３０にネットワークＮを通じて着信メロディーデータを取り込む着信メロディーデータ取り込みシステムの全体概略構成図である。
【図２】本発明を用いて携帯電話機３０に着信メロディーデータを取り込む方法の携帯電話機３０における概略処理フロー図である。
【図３】着信メロディーデータベースコンピュータ１０−１における概略処理フロー図である。
【図４】待ち受け画像データベースコンピュータ１０−２から携帯電話機３０にネットワークＮを通じて待ち受け画像データを取り込む待ち受け画像データ取り込みシステムの全体概略構成図である。
【図５】本発明を用いて携帯電話機３０に待ち受け画像データを取り込む方法の携帯電話機３０における概略処理フロー図である。
【図６】待ち受け画像データベースコンピュータ１０−２における概略処理フロー図である。
【符号の説明】
１０−１  着信メロディーデータベースコンピュータ
２０  基地局
３０  携帯電話機（情報端末）
３１  表示画面
Ｎ  ネットワーク
１０−２  待ち受け画像データベースコンピュータ
【図１】
2004219556.tif 000003
【図２】
2004219556.tif 000004
【図３】
2004219556.tif 000005
【図４】
2004219556.tif 000006
【図５】
2004219556.tif 000007
【図６】
2004219556.tif 000008